(57)【特許請求の範囲】
【請求項１】
着座部としてのシートクッションと背もたれ部としてのシートバックは相対回動可能に連結されており、該連結部には該両者の相対回動を許容する解除状態と相対回動を規制する規制状態とを回動伝達部材からの回動操作により達成する連結機構を備え、
該連結機構を回動操作する回動伝達部材は、前記シートバックの着座姿勢角度を調節するための第１の操作部材の操作により回動伝達される伝達構成とされていると共に、該シートバックを着座姿勢角度以上に倒す操作をするための第２の操作部材の操作によっても回動伝達される伝達構成とされており、該連結機構は第１の操作部材及び第２の操作部材のいずれからも操作可能とされた車両用シートであって、
前記連結機構を回動操作する回動伝達部材への前記第１の操作部材からの操作を回動伝達する第１の伝達構成箇所の伝達構成、及び前記第２の操作部材からの操作を回動伝達する第２の伝達構成箇所の伝達構成の少なくとも一方の伝達構成箇所の伝達構成に、所定の回動範囲だけ空振り回動する空振り伝達構成が組み込まれており、該空振り回動する所定の回動範囲は前記他方の伝達構成箇所の伝達構成により伝達される前記回動伝達部材の回動により前記連結機構が規制状態から解除状態となる回動範囲であり、前記他方の伝達構成箇所へ操作伝達する操作部材による操作時には前記一方の伝達構成箇所へ操作伝達する操作部材は静止状態にあり、
前記第１の伝達構成箇所の伝達構成及び第２の伝達構成箇所の伝達構成とも、前記空振り伝達構成が組み込まれており、いずれの操作部材の操作時でも他方の操作部材は静止状態にあり、
前記第１の伝達構成箇所及び第２の伝達構成箇所の両伝達構成は、回転軸と該回転軸に嵌合する嵌合孔を有する伝達部材とからなっており、前記回転軸が前記連結機構を回動操作する回動伝達部材であり、前記伝達部材が前記第１の操作部材または第２の操作部材と連結関係にある部材であることを特徴とする車両用シート。
【請求項２】
請求項１に記載の車両用シートであって、
前記第１の操作部材はリクライニング操作レバーであり、前記第２の操作部材はウォークイン操作レバーであることを特徴とする車両用シート。
【発明の詳細な説明】
【技術分野】
【０００１】
本発明は、車両用シートに関する。詳細には、シートクッションとシートバックが相対回動される連結機構において、この連結機構を回動操作する回動伝達部材は、シートバックの着座姿勢角度を調節するための第１の操作部材の操作による回動伝達と共に、シートバックを着座姿勢角度以上に倒す操作をするための第２の操作部材の操作による回動伝達される伝達構成とされており、連結機構は第１の操作部材及び第２の操作部材のいずれからも操作可能とされる構成の車両用シートに関する。
【背景技術】
【０００２】
従来より、２列又は３列に配設される車両用シートにおいて、前後に配設された座席において後側座席に着座する乗員が車両の乗降を容易にするべく前側座席のシートバックを前倒しにする場合や、前側座席に乗員が着座しない状態において、前側座席のシートバックを前倒しにする場合に使用するものとして、ウォークイン操作レバーが知られている。そして、このウォークイン操作レバーは、後側座席の乗員が前側座席のシートクッション側面に配設されたリクライニング操作レバーを操作するのは困難であることから、後側座席の乗員が前側座席のシートバックを容易に前倒し操作をするために、シートクッションの後方、かつ、シートバック背面側にリクライニング機構と連動するように配設されている。
例えば、特許文献１に示す車両用シートは、着座部としてのシートクッションと背もたれ部としてのシートバックが相対回動可能に連結された構成となっている。この連結部には両者の相対回動を許容する解除状態と相対回動を規制する規制状態とを回動伝達部材からの回動操作により達成する連結機構としてリクライニング機構が備えらている。このリクライニング機構を回動操作する回動伝達部材は、シートバックの着座姿勢角度を調節するための第１の操作部材としてのリクライニング操作レバーの操作により回動伝達される伝達構成とされていると共に、シートバックを着座姿勢角度以上に倒す操作をするための第２の操作部材としてのウォークイン操作レバーの操作によっても回動伝達される伝達構成とされている。そのため、このリクライニング機構はリクライニング操作レバー及びウォークイン操作レバーのいずれからも操作可能とされている。
そして、このリクライニング機構には、リンク部材、ワイヤーケーブル部材、ギヤ部材等の各種伝達手段を介在させて、シートクッションの後方、かつ、シートバック背面側にウォークイン操作レバーを配設し、リクライニング操作レバーと連動するように構成されている。これにより、ウォークイン操作レバーを回動操作すると、リクライニング操作レバーを回動操作しなくてもリクライニング機構をシートクッションに対するシートバックの相対回動を規制する規制状態から許容する解除状態へと切換可能とする構成となっている。
【特許文献１】特開２００４−５０８６８号公報
【発明の開示】
【発明が解決しようとする課題】
【０００３】
しかしながら、上記従来技術では、ウォークイン操作レバー及びリクライニング操作レバーは、リクライニング機構を回動操作する回動伝達部材と溶接等により剛結合された構成となっていた。すなわち、ウォークイン操作レバーとリクライニング操作レバーは連動する構成となっている。これにより、リクライニング操作レバーの操作時は、ウォークイン操作レバーを操作しなくてもウォークイン操作レバーが動作をし、ウォークイン操作レバーの操作時は、リクライニング操作レバーを操作しなくてもリクライニング操作レバーが動作をする構成であった。そのため、前側座席に乗員が着座時に後側座席の乗員がウォークイン操作レバーを操作した場合に、前側座席に乗員が、操作をしていないリクライニング操作レバーの不意の作動に驚くおそれがあるという問題があった。また、ウォークイン操作レバーの操作によって、リクライニング操作レバーはシートバックの相対回動を許容する解除状態にするために、シートクッション側面において、上方に引き上げられた状態となり、この状態でシートバックが前倒し方向へ回動すると、リクライニング操作レバーとシートバックが干渉するおそれが生じ、シートバックは表皮の毛だおれやシートバックのシートパッド部材の変形が生じるおそれがあるという問題があった。
そのため、本発明者は、鋭意検討の結果、ウォークイン操作レバーとリクライニング操作レバーが連動する構成の車両用シートにおいて、レバーを操作したときに操作しない方のレバーが作動しないようにするために、ウォークイン操作レバー及びリクライニング操作レバーと、リクライニング機構を回動操作する回動伝達部材との伝達構成箇所に着目したものである。
【０００４】
而して、本発明は、このような点に鑑みて創案されたものであり、本発明が解決しようとする課題は、シートクッションとシートバックが相対回動される連結機構が、第１の操作部材及び第２の操作部材のいずれからも操作可能とされる構成の車両用シートにおいて、第１、第２のいずれかの操作部材による伝達構成箇所への操作伝達する操作時には、もう一方の操作部材による伝達構成箇所への操作伝達する操作は静止状態とする機構を備えた車両用シートを提供することにある。
【課題を解決するための手段】
【０００５】
上記した課題を達成するために、本発明に係る車両用シートは、次の手段をとる。
本発明の第１の発明は、着座部としてのシートクッションと背もたれ部としてのシートバックは相対回動可能に連結されており、該連結部には該両者の相対回動を許容する解除状態と相対回動を規制する規制状態とを回動伝達部材からの回動操作により達成する連結機構を備え、該連結機構を回動操作する回動伝達部材は、前記シートバックの着座姿勢角度を調節するための第１の操作部材の操作により回動伝達される伝達構成とされていると共に、該シートバックを着座姿勢角度以上に倒す操作をするための第２の操作部材の操作によっても回動伝達される伝達構成とされており、該連結機構は第１の操作部材及び第２の操作部材のいずれからも操作可能とされた車両用シートであって、
前記連結機構を回動操作する回動伝達部材への前記第１の操作部材からの操作を回動伝達する第１の伝達構成箇所の伝達構成、及び前記第２の操作部材からの操作を回動伝達する第２の伝達構成箇所の伝達構成の少なくとも一方の伝達構成箇所の伝達構成に、所定の回動範囲だけ空振り回動する空振り伝達構成が組み込まれており、該空振り回動する所定の回動範囲は前記他方の伝達構成箇所の伝達構成により伝達される前記回動伝達部材の回動により前記連結機構が規制状態から解除状態となる回動範囲であり、前記他方の伝達構成箇所へ操作伝達する操作部材による操作時には前記一方の伝達構成箇所へ操作伝達する操作部材は静止状態にあることを特徴とする。
【０００６】
この第１の発明によれば、連結機構を回動操作する回動伝達部材への第１の操作部材からの操作を回動伝達する第１の伝達構成箇所の伝達構成、及び第２の操作部材からの操作を回動伝達する第２の伝達構成箇所の伝達構成の少なくとも一方の伝達構成箇所の伝達構成に、所定の回動範囲だけ空振り回動する空振り伝達構成が組み込まれている。この空振り回動する所定の回動範囲は、空振り伝達構成が組み込まれない他方の伝達構成箇所の伝達構成により伝達される回動伝達部材の回動によって、連結機構が規制状態から解除状態となる回動範囲である。そのため、他方の伝達構成箇所へ操作伝達する操作部材による操作時には、空振り伝達構成が組み込まれた一方の伝達構成箇所へ操作伝達する操作部材は静止状態を維持できる構成となっている。
これにより、空振り伝達構成が組み込まれた操作部材を静止状態を維持できるため、操作部材の不意の作動に驚くことを防止することができる。
【０００７】
本発明の第２の発明は、前記第１の伝達構成箇所の伝達構成及び第２の伝達構成箇所の伝達構成とも、前記空振り伝達構成が組み込まれており、いずれの操作部材の操作時でも他方の操作部材は静止状態にあることを特徴とする。
【０００８】
この第２の発明によれば、第１の伝達構成箇所の伝達構成及び第２の伝達構成箇所の伝達構成とも、空振り伝達構成が組み込まれていることから、第１の操作部材、第２の操作部材いずれの操作部材の操作時でも他方の操作部材は静止状態にできる。そのため、操作部材の不意の作動に驚くことを防止することができる。また、シートバックの着座姿勢角度を調節するための第１の操作部材とシートバックとの干渉を防止し、シートバックは表皮の毛だおれやシートバックのシートパッド部材の変形を防止することができる。
【０００９】
本発明の第３の発明は、前記第１の伝達構成箇所の伝達構成に前記空振り伝達構成が組み込まれており、前記第２の伝達構成箇所の伝達構成は一体的回動伝達構成とされていると共に、前記第２の操作部材から前記第２の伝達の伝達経路には可撓性のあるケーブルが配索されていることを特徴とする。
【００１０】
この第３の発明によれば、第１の伝達構成箇所の伝達構成に空振り伝達構成が組み込まれており、第２の伝達構成箇所の伝達構成は一体的回動伝達構成とされている。これにより、シートバックを着座姿勢角度以上に倒す操作をするための第２の操作部材の操作をしたときには、シートバックの着座姿勢角度を調節するための第１の操作部材は、第１の伝達構成箇所の伝達構成に組み込まれた空振り伝達構成によって、空振り回動をするため、第１の操作部材は、静止状態を保つこととなる。
一方、第１の操作部材の操作をしたときには、第２の伝達構成箇所の伝達構成は一体的回動伝達構成とされているため、第１の操作部材の操作と連動して作動する。しかし、第２の操作部材から第２の伝達の伝達経路には可撓性のあるケーブルが配索されていることにより、このケーブルが撓むことによって、第２の操作部材が作動しない構成となっている。これにより、第１の伝達構成箇所の伝達構成及び第２の伝達構成箇所の伝達構成ともに空振り伝達構成を組み込むことなく、簡単な構成によって、第２の操作部材を操作しない場合に静止状態とすることができる。
【００１１】
本発明の第４の発明は、前記第１の伝達構成箇所及び第２の伝達構成箇所の両伝達構成は、回転軸と該回転軸に嵌合する嵌合孔を有する伝達部材とからなっており、前記回転軸が前記連結機構を回動操作する回動伝達部材であり、前記伝達部材が前記第１の操作部材または第２の操作部材と連結関係にある部材であることを特徴とする。
【００１２】
この第４の発明によれば、第１の伝達構成箇所及び第２の伝達構成箇所の両伝達構成は、回転軸とこの回転軸に嵌合する嵌合孔を有する伝達部材とから構成されている。そしてこの回転軸が、連結機構を回動操作する回動伝達部材であり、伝達部材が前記第１の操作部材または第２の操作部材と連結関係にある部材として構成されている。これにより、第１の伝達構成箇所及び第２の伝達構成箇所の両伝達構成を、複雑な部材等を必要としないで空振り伝達構成を構成することができる。
【００１３】
本発明の第５の発明は、前記第１の操作部材はリクライニング操作レバーであり、前記第２の操作部材はウォークイン操作レバーであることを特徴とする。
【００１４】
この第５の発明によれば、第１の操作部材はリクライニング操作レバーとし、第２の操作部材はウォークイン操作レバーとする構成に適用できるものである。これにより、リクライニング操作レバー、ウォークイン操作レバーの操作性をより一層向上させることができる。
【発明の効果】
【００１５】
本発明は上記各発明の手段をとることにより次の効果を得ることができる。
先ず、上記第１の発明の車両のシートによれば、空振り伝達構成が組み込まれた操作部材を静止状態にすることができるため、着座した乗員は、操作部材の不意の作動に驚くことを防止することができる。
次に、上記第２の発明の車両のシートによれば、着座した乗員において操作部材の不意の作動に驚くことを防止することができる。また、シートバックの着座姿勢角度を調節するための第１の操作部材とシートバックとの干渉を防止し、シートバックは表皮の毛だおれやシートバックのシートパッド部材の変形を防止することができる。
次に、上記第３の発明の車両のシートによれば、第１の伝達構成箇所の伝達構成及び第２の伝達構成箇所の伝達構成ともに空振り伝達構成を組み込むことなく、簡単な構成によって、第２の操作部材を操作しない場合に静止状態とすることができる。
次に、上記第４の発明の車両のシートによれば、第１の伝達構成箇所及び第２の伝達構成箇所の両伝達構成を、複雑な部材等を必要としないで空振り伝達構成を構成することができる。
次に、上記第５の発明の車両のシートによれば、リクライニング操作レバー、ウォークイン操作レバーの操作性をより一層向上させることができる。
【発明を実施するための最良の形態】
【００１６】
以下に本発明を実施するための最良の形態を図面を用いて説明する。
図１は、本実施例に係る車両用シートのフレーム構成を表した斜視図である。図２は、本実施例に係る車両用シートにおける右側面図である。図３は、本実施例に係る車両用シートにおける図２のIII−III線断面図である。図４は、本実施例に係る車両用シートにおける左側面図である。図５は、本実施例に係る車両用シートにおけるリクライニング操作レバー及びウォークイン操作レバーからの操作を回動伝達部材へ回動伝達する伝達構成箇所の伝達構成を示した斜視図である。Ａ図は、リクライニング操作レバー、ウォークイン操作レバー、回動伝達部材３６ａ、連結軸３６ｂの各構成を示した斜視図である。Ｂ図は、図５（Ａ）の矢視Ｂ−Ｂ線からのリクライニング操作レバーを示した側面図である。Ｃ図は、図５（Ａ）の矢視Ｃ−Ｃ線からのウォークイン操作レバーを示した側面図である。
なお、図１において、シートクッションフレーム２０にはシートクッションが取付けられ、シートバックフレーム３２には背凭れクッションが取付けられるが、これらの構成については通常の取付構成であり図示を省略している。また、図２において、シートバックフレーム３２はパイプ状の部材と板状の部材とが剛接合されて形成されているが、このうちパイプ状の部材の図示を省略している。また、図１と同様、シートクッションフレーム２０のシートクッション、シートバックフレーム３２の背凭れクッションの図示を省略している。また、図４において、図２と同様、シートバックフレーム３２のパイプ状の部材の図示を省略している。また、図１と同様、シートクッションフレーム２０のシートクッション、シートバックフレーム３２の背凭れクッションの図示を省略している。
また、図５のＡ図において、伝達構成の主要構成のみの図示としその他のシートクッションフレーム２０、シートバックフレーム３２、捩りばね部材３５、リクライニング機構３６の図示を省略している。また、同図の図示は、理解を容易にするために各構成品を誇張して図示している。
【００１７】
本実施例の車両用シート１０は、車両の前部座席の運転席、助手席、２列目や３列目に配設される後部座席の何れにおいても採用されるものである。
図１は、車両用シート１０のフレーム構成が図示されている。なお、本実施例の車両用シート１０のフレーム構成は、車両の前部座席の助手席における構成を示したものである。  また本実施例においては、シートバックの着座姿勢角度を調節するための第１の操作部材はリクライニング操作レバーとし、シートバックを着座姿勢角度以上に倒す操作をするための第２の操作部材はウォークイン操作レバーとする構成を例にして説明する。
図１に図示されるように、この車両用シート１０は、概略、シートクッションフレーム２０、シートバックフレーム３２、リクライニング機構３６、で構成されている。
【００１８】
車両用シート１０のシートクッションフレーム２０の支持構造について説明する。
図１に図示されるように、このシートクッションフレーム２０は、金属製の板状部材で断面略コの字型に成形されてシートクッションと同一幅のＵ字形に形成されており、リンク機構４０を介してスライドレール４２上に車両前後方向にスライド可能に支持されている。
上記スライドレール４２とシートクッションフレーム２０との間には、スライドレール４２に対してシートクッションフレーム２０を上下移動可能に支持するリンク機構４０が左右位置に介設されている。上記左右のスライドレール４２のアッパーレール４２Ｕの上部にシートクッションフレーム２０がそれぞれ立設されるように配置されている。そして、この左右のシートクッションフレーム２０間であって車両の前後位置には連動ロッド４０Ｆ，連動ロッド４０Ｂがそれぞれ回動自在に支持されるとともに、リンク４１Ｆ，リンク４１Ｂの上端が回動自在に取付けられている。そして、このリンク４１Ｆ，リンク４１Ｂの下端が、上記左右のスライドレール４２のアッパーレール４２Ｕに回動自在に取付けられている。そしてこのアッパーレール４２Ｕがロアレール４２Ｌに車両前後方向にスライド可能に支持されている。こうして、シートクッションフレーム２０、スライドレール４２、リンク機構４０によって平行四辺形状に連動する構成とされている。
そして、このシートクッションフレーム２０の側面部には、車両内方側にピニオンギア（図示省略）、車両外方側には作動回動部材（図示省略）が連結孔（図示省略）を介して軸回動可能に連結され、この作動回動部材（図示省略）にリフターレバー（図示省略）が連結されている。そして、このリフターレバー（図示省略）に回動作動力が働くと連結されたピニオンギア（図示省略）が回動して、この回動作動力がシートクッションフレーム２０と連結されたリンク機構４０のセクタギア（図示省略）に伝達されてリンク機構４０が作動する。これにより、シートクッションフレーム２０が後動しながら下動された状態では、シートクッションが下移動位置となり、シートクッションフレーム２０が前動しながら上動された状態では、シートクッションが上移動位置に移動されるようになる。
【００１９】
次に、車両用シートのシートバック連結構造について説明する。
図１に図示されるように、シートバック連結構造は、シートバックフレーム３２、捩りばね部材３５、リクライニング機構３６を有する。
このシートバックフレーム３２は、パイプ状の部材と板状の部材とが剛接合されて形成されており、全体が門形状に形成されている。
そして、シートバックフレーム３２の両脚部分の下端を回動可能に支持するために、シートバックフレーム３２の両脚部分の下端と、シートバックフレーム３２の幅方向に一対で設けらたシートクッションフレーム２０の両脚部分との間にリクライニング機構３６が挟み込まれている。また、門形状のシートバックフレーム３２は、その両脚部分に架け渡された補強部材３２ａと一体に剛接合されており、補強されている。
【００２０】
次に、捩りばね部材３５について説明する。
図１に図示されるように、この捩りばね部材３５は、シートバックフレーム３２をシートクッションフレーム２０に対して車両前側Ｆｒに倒し込む方向に回動付勢するものである。捩りばね部材３５は、シートバックフレーム３２の両脚部分の下端においてシートバックフレーム３２の幅方向に各一つずつ構成されている。詳しくは、シートクッションフレーム２０の外方側において回動伝達部材３６ａと同軸上の位置に配置されている。図２に図示されるように、この捩りばね部材３５は、スパイラルスプリングによって構成されており、捩りばね部材３５の内側の端部が、シートクッションフレーム２０に係止される支持部３５ａとして形成されている。ここで、シートクッションフレーム２０には、上記支持部３５ａを掛合させるための掛合部材２０ａが突出して設けられている。そして、捩りばね部材３５の外側の端部は、シートバックフレーム３２に係止される付勢部３５ｂとして形成されている。ここで、シートバックフレーム３２には、上記付勢部３５ｂを掛合させるための掛合部材３２ｂが突出して設けられている。この捩りばね部材３５は、シートバックフレーム３２をシートクッションフレーム２０に対して車両前側Ｆｒに倒し込む方向に回動付勢するべく、予め捩り込まれた状態で組み付けられている。このスパイラルスプリングから成る捩りばね部材３５は、回動伝達部材３６ａの取付位置に配設され、この取付位置において捩れ変形するコンパクトな構成とされている。
【００２１】
次に、リクライニング機構３６について説明する。
図１に図示されるように、このリクライニング機構３６は、シートクッションフレーム２０とシートバックフレーム３２が相対回動可能に連結されており、この連結部には、リクライニング機構３６に備えられた回動伝達部材３６ａからの回動操作によって両者の相対回動を許容する解除状態と相対回動を規制する規制状態と切り替えてシートバックの着座姿勢角度を調節する連結機構が組み込まれている。
図３に図示されるように、このリクライニング機構３６は、シートクッションフレーム２０と、このシートクッションフレーム２０に対しシートバックフレーム３２を相対回動可能に連結する回動伝達部材３６ａと、円盤状部材であるラチェット３８及びガイド２２、ロック機構（図示省略）を有する。そしてこの回動伝達部材３６ａが、リクライニング機構３６に組み込まれたロック機構を回動操作することで、ロック機構の作動状態を切換えて、シートクッションフレーム２０に対するシートバックフレーム３２の相対回動を許容する解除状態と規制する規制状態とに切換えることができる構成となっている。
図１に図示されるように、リクライニング機構３６は、シートバックフレーム３２の両脚部分と各シートクッションフレーム２０との間に左右に各一つずつ設けられており、これらの連結構造を構成している。図３に図示されるように、このリクライニング機構３６は、２つの円盤状部材であるラチェット３８とガイド２２が互いに重ね合わされて組み付けられ、外周を覆うように外周リング部材２４によってかしめ固定されている。このかしめ固定は、ラチェット３８とガイド２２が互いに重ね合わされた状態で、ガイド２２の外周と外周リング部材２４が一体にかしめ固定されている。その中心部に設けられた回動伝達部材３６ａによって互いに軸回動可能な状態とされている。そして、上記一方の円盤状部材であるラチェット３８はシートバックフレーム３２と一体に剛接合されており、他方の円盤状部材であるガイド２２はシートクッションフレーム２０と一体に剛接合されている。これにより、シートバックフレーム３２が、回動伝達部材３６ａを中心として、シートクッションフレーム２０に対して相対回動可能とされている。
また、リクライニング機構３６の内部には、図示しないロック機構が組み込まれている。このロック機構は、その作動状態を切換えることにより、上記の相対回動を許容する解除状態と規制する規制状態とに切換えられるようになっている。このリクライニング機構３６のロック機構の作動状態の切換えは、回動伝達部材３６ａと連結されたリクライニング操作レバー５０（図１参照）及びウォークイン操作レバー７０（図１参照）の操作にしたがって行われる。
図２に図示されるように、リクライニング機構３６は、リクライニング操作レバー５０の操作を行う前の常時は、上記相対回動を規制した規制状態として保持されている。そして、リクライニング操作レバー５０を図２の図示上、時計回転方向に上方へ回動操作を行うことにより、上記の相対回動を許容する解除状態に切換えられる。
同様に、図４に図示されるように、リクライニング機構３６は、ウォークイン操作レバー７０の操作を行う前の常時は、上記相対回動を規制した規制状態として保持されている。そして、ウォークイン操作レバー７０を図４の図示上、反時計回転方向に回動操作を行うことにより、上記の相対回動を許容する解除状態に切換えられる。
また、図１に良く示されるように、両リクライニング機構３６の回動伝達部材３６ａは、これらの間に架け渡されるようにして設けられた連結軸３６ｂによって互いに連結されている。この連結軸３６ｂは、両リクライニング機構３６の間で前述したロック機構の作動状態を同期させるべく、これらの間で回動力の伝達を行う。したがって、両リクライニング機構３６は、リクライニング操作レバー５０及びウォークイン操作レバー７０の操作状態に応じて、常に、ロック作動状態の切換えが同期して行われる。
なお、このリクライニング機構３６の構成は、公知のものであり、より詳しい内容は特開２００３−９９７９号公報等の文献に開示されている。
【００２２】
次に、回動伝達部材３６ａについて説明する。
この回動伝達部材３６ａは、リクライニング機構３６に組み込まれたロック機構を回動操作することで、ロック機構の作動状態を切換えて、シートクッションフレーム２０に対するシートバックフレーム３２の相対回動を許容する解除状態と規制する規制状態とに切換えるためのものである。図２及び図３に図示されるようにこの回動伝達部材３６ａは、リクライニング機構３６の中心部に設けられており軸回動可能な回転軸として構成されている。図５（Ａ）に図示されるように、この回動伝達部材３６ａの車両外方側には、リクライニング操作レバー５０及びウォークイン操作レバー７０からの操作を回動伝達部材３６ａへ回動伝達する伝達構成箇所の伝達構成として嵌合部３７が形成されている。この嵌合部３７は、回転軸部の円筒の外周部分である円筒部位３７ａを有し、この円筒部位３７ａの軸方向において回動中心から所定距離の位置で平面状に切り欠き形成された二面の平面部位３７ｂが回動中心を挟んで平行して形成されており、断面略小判状の形状をしている。この嵌合部３７によって、リクライニング操作レバー５０及びウォークイン操作レバー７０に設けられる嵌合孔６０と嵌合されて、リクライニング機構３６に組み込まれたロック機構を回動操作する構成となっている。
【００２３】
次に、リクライニング操作レバー５０について説明する。
図２に図示されるように、このリクライニング操作レバー５０は、リクライニング機構３６を回動操作する回動伝達部材３６ａを作動させるためのものである。なお、このリクライニング操作レバー５０が本発明における第１の操作部材に相当する。このリクライニング操作レバー５０は、概略、リクライニング操作レバーブラケット５２、操作把持部位５４から構成されている。リクライニング操作レバーブラケット５２は、乗員が操作把持部位５４に及ぼす操作力を回動伝達部材３６ａに伝達する伝達部材である。このリクライニング操作レバーブラケット５２は、細長い板状部材が屈曲形状に形成されている。そして一端に操作把持部位５４が連結される連結部を有し、他端には回動伝達部材３６ａが嵌合する嵌合孔６０が形成されている。操作把持部位５４は、乗員が把持して操作力を及ぼす部位であり、合成樹脂によって形成されている。つるまきばね部材５６は、リクライニング操作レバー５０を回動操作した後に初期位置に回動付勢するためのものである。
そして、リクライニング操作レバーブラケット５２の嵌合孔６０に回動伝達部材３６ａが嵌合され、操作把持部位５４が車両前側Ｆｒに配置されるように配置構成されている。そして、リクライニング操作レバーブラケット５２の屈曲部とシートクッションフレーム２０の間には、つるまきばね部材５６が回動付勢された状態で介装されている。
このリクライニング操作レバー５０は、操作を行う前の常時は、シートクッションフレーム２０に対してシートバックフレーム３２の相対回動を規制した規制状態として保持されている。そして、リクライニング操作レバー５０を図２の図示上、時計回転方向に上方へ回動操作を行うことにより、上記の相対回動を許容する解除状態に切換えられる。そして、時計回転方向に上方へ回動操作されたリクライニング操作レバー５０は、つるまきばね部材５６の付勢力によって図２の図示上、反時計回転方向に回動付勢されてストッパー５８に当接した位置で再び相対回動を規制した規制状態として保持される構成となっている。
【００２４】
そして、このリクライニング操作レバー５０からの操作を回動伝達部材３６ａへ回動伝達する伝達構成箇所の伝達構成として、上記嵌合孔６０には、所定の回動範囲だけ空振り回動する空振り伝達構成が組み込まれている。なお、リクライニング操作レバー５０側における回動伝達部材３６ａと嵌合孔６０の伝達構成箇所が、本発明の第１の伝達構成箇所の伝達構成に相当する。この嵌合孔６０の空振り伝達構成は次のとおりである。
図５（Ｂ）に図示されるように、この嵌合孔６０は、回動伝達部材３６ａの円筒部位３７ａが嵌合可能な円筒部位３７ａの半径距離を有する円周部位６２と、リクライニング操作レバーブラケット５２の操作力を回動伝達部材３６ａの平面部位３７ｂに軸回動運動として作用させる軸回動作用部位６４と、回動伝達部材３６ａが独立して回動可能とする遊動隙間６６が形成されている。
そして、回動伝達部材３６ａの平面部位３７ｂと、嵌合孔６０の軸回動作用部位６４が嵌合し、更に、回動伝達部材３６ａの円筒部位３７ａと、嵌合孔６０の円周部位６２が嵌合し、嵌合孔６０の遊動隙間６６が回動伝達部材３６ａの軸回動運動方向に配置された構成となっている。そして、この遊動隙間６６は、回動伝達部材３６ａの軸回動運動方向であり、かつ、リクライニング機構３６の規制状態から解除状態に切換られる範囲まで回動伝達部材３６ａが回動可能に形成されている。
これにより、回動伝達部材３６ａは、リクライニング機構３６の規制状態から解除状態に切換られる範囲だけ空振り回動することができる構成となっている。
【００２５】
次に、ウォークイン操作レバー７０について説明する。
図４に図示されるように、このウォークイン操作レバー７０は、シートバックを着座姿勢角度以上に倒す操作をするためにリクライニング機構３６に回動伝達される伝達構成として構成されたものであり、リクライニング操作レバー５０と共にリクライニング機構３６に構成されている。そして、このウォークイン操作レバー７０は、シートクッションの後方側であり、かつ、シートバックの背面側に配設されて、リクライニング操作レバー５０の作動と同様の作動をする構成とされている。なお、このウォークイン操作レバー７０が本発明における第２の操作部材に相当する。
図１に図示されるように、図１の図示上右側のリクライニング機構３６にはリクライニング操作レバー５０が配設されている。これに対し、本実施例においては、ウォークイン操作レバー７０は、図１の図示上左側のリクライニング機構３６に配設されている。
このウォークイン操作レバー７０は、概略、ウォークイン操作レバーブラケット７２、ケーブル７４、操作把持部位７６、から構成されている。ウォークイン操作レバーブラケット７２は、乗員が操作把持部位７６に及ぼす操作力を回動伝達部材３６ａに伝達する伝達部材である。図４に図示されるように、このウォークイン操作レバーブラケット７２は、細長い板状部材が屈曲形状に形成されており、一端をケーブル７４が連結されており、他端は回動伝達部材３６ａが嵌合する嵌合孔６０が形成されている。操作把持部位７６は、リング状に形成されており、このリング部に乗員が指を掛けて操作力を及ぼす部位である。この操作把持部位７６は、シートクッションの後方側であり、かつ、シートバックの背面側に配置され、ケーブル７４と連結された構成となっている。そしてケーブル７４は、操作把持部位７６における操作力としての引き運動をウォークイン操作レバーブラケット７２に伝達するためのものである。このケーブル７４は、可撓性を有しており、操作把持部位７６からウォークイン操作レバーブラケット７２まで配索されている。このウォークイン操作レバー７０は、図４に図示されるように、操作を行う前の常時は、シートクッションフレーム２０に対してシートバックフレーム３２の相対回動を規制した規制状態として保持されている。そして、ウォークイン操作レバー７０の操作把持部に引き運動を及ぼすと、このケーブル７４によって引き運動がウォークイン操作レバーブラケット７２に伝達されて、図４の図示上、反時計回転方向に回動操作されることにより、上記の相対回動を許容する解除状態に切換えられる。そして、反時計回転方向に回動操作されたウォークイン操作レバー７０は、図示しない弾性部材の付勢力によって図４の図示上、時計回転方向に回動付勢されて再び相対回動を規制した規制状態として保持される構成となっている。そして、このウォークイン操作レバー７０からの操作を回動伝達部材３６ａへ回動伝達する伝達構成箇所の伝達構成として、嵌合孔６０に所定の回動範囲だけ空振り回動する空振り伝達構成が組み込まれている。なお、ウォークイン操作レバー７０側における回動伝達部材３６ａと嵌合孔６０の伝達構成箇所が、本発明の第２の伝達構成箇所の伝達構成に相当する。図５（Ｃ）に図示されるように、この嵌合孔６０の空振り伝達構成はリクライニング操作レバー５０に設けられた嵌合孔６０と同一構成のものであり、円周部位６２、軸回動作用部位６４、遊動隙間６６を有した嵌合孔６０として形成されている。
これにより、回動伝達部材３６ａは、リクライニング機構３６の規制状態から解除状態に切換られる範囲だけ空振り回動することができる構成となっている。
【００２６】
上記構成からなる本実施例における車両用シートの作動は次の通りである。
図６は、リクライニング操作レバー５０及びウォークイン操作レバー７０からの操作を回動伝達部材３６ａへ回動伝達する伝達構成箇所の伝達構成を示した斜視図である。
Ａ図は、シートクッションフレーム２０に対してシートバックフレーム３２の相対回動を規制した規制状態として保持された状態を示した斜視図である。
Ｂ図は、リクライニング操作レバー５０について、リクライニング機構３６の操作状態と、この操作時において、ウォークイン操作レバー７０が静止状態であることを示した状態図である。
Ｃ図は、ウォークイン操作レバー７０について、リクライニング機構３６の操作状態と、この操作時において、リクライニング操作レバー５０が静止状態であることを示した状態図である。
なお、同図は、リクライニング操作レバー５０、ウォークイン操作レバー７０、回動伝達部材３６ａ、連結軸３６ｂの各構成を示しており、シートクッションフレーム２０、シートバックフレーム３２、捩りばね部材３５、リクライニング機構３６の図示を省略しており、また図示は理解を容易にするために各構成品を誇張して図示している。
【００２７】
図６（Ａ）に図示されるように、リクライニング操作レバー５０及びウォークイン操作レバー７０は、回動伝達部材３６ａと嵌合されている。そしてこの両操作レバーの操作によって、回動伝達部材３６ａが回動操作されて図示しないリクライニング機構３６（図１参照）に組み込まれたロック機構を作動させて、シートクッションフレーム２０に対するシートバックフレーム３２の相対回動を許容する解除状態と規制する規制状態とに切換えることができる構成とされている。
そして、この回動伝達部材３６ａは、これらの間に架け渡されるようにして設けられた連結軸３６ｂによって互いに連結されており、両リクライニング機構３６の間で前述したロック機構の作動状態を同期させるべく、これらの間で回動力の伝達を行う。したがって、両リクライニング機構３６は、リクライニング操作レバー５０及びウォークイン操作レバー７０の操作状態に応じて、常に、ロック作動状態の切換えが同期して行われる。
【００２８】
リクライニング操作レバー５０を操作した時の作動について説明する。
図６（Ｂ）に図示されるように、仮想線で示したリクライニング操作レバー５０は、リクライニング機構３６がシートクッションフレーム２０に対してシートバックフレーム３２の相対回動を規制した規制状態として保持された状態を示している。
この状態から、リクライニング操作レバー５０の操作把持部位５４に操作力を及ぼし、リクライニング操作レバー５０を上方に引き上げ方向に操作することによって、リクライニング操作レバー５０側の回動伝達部材３６ａが図６（Ｂ）の図示上、時計回転方向に回動し、上記の相対回動を許容する解除状態に切換えられる。そして、リクライニング操作レバー５０側の回動伝達部材３６ａが回動すると連結軸３６ｂによって連結されたウォークイン操作レバー７０側の回動伝達部材３６ａも同期して回動力の伝達が行われる。このとき、ウォークイン操作レバー７０側の回動伝達部材３６ａも同期して図６（Ｂ）の図示上、時計回転方向に回動することとなる。このときウォークイン操作レバー７０側の回動伝達部材３６ａの嵌合部３７（図５（Ａ）参照）は、ウォークイン操作レバー７０の嵌合孔６０（図５（Ａ）参照）に設けられた遊動隙間６６（図５（Ｃ）参照）を空振り回動することによって、リクライニング操作レバー５０側の回動伝達部材３６ａとは連動しないで、ウォークイン操作レバー７０は静止状態を保つ。
【００２９】
ウォークイン操作レバー７０を操作した時の作動について説明する。
図６（Ｃ）に図示されるように、仮想線で示したウォークイン操作レバー７０は、リクライニング機構３６がシートクッションフレーム２０に対してシートバックフレーム３２の相対回動を規制した規制状態として保持された状態を示している。
この状態から、ウォークイン操作レバー７０の操作把持部位７６に引き運動の操作力を及ぼし、ウォークイン操作レバー７０を車両後方に引き運動の操作をすることによって、ウォークイン操作レバー７０側の回動伝達部材３６ａが図６（Ｃ）の図示上、時計回転方向に回動し、上記の相対回動を許容する解除状態に切換えられる。そして、ウォークイン操作レバー７０側の回動伝達部材３６ａが回動すると連結軸３６ｂによって連結されたリクライニング操作レバー５０側の回動伝達部材３６ａも同期して回動力の伝達が行われる。このとき、リクライニング操作レバー５０側の回動伝達部材３６ａも同期して図６（Ｂ）の図示上、時計回転方向に回動することとなる。このときリクライニング操作レバー５０側の回動伝達部材３６ａの嵌合部３７（図５（Ａ）参照）は、リクライニング操作レバー５０の嵌合孔６０（図５（Ａ）参照）に設けられた遊動隙間６６（図５（Ｂ）参照）を空振り回動することによって、ウォークイン操作レバー７０側の回動伝達部材３６ａとは連動しないで、リクライニング操作レバー５０は静止状態を保つ。
【００３０】
この構成によれば、リクライニング操作レバー５０側の伝達構成箇所の伝達構成及びウォークイン操作レバー７０側の伝達構成箇所の伝達構成とも、空振り伝達構成が組み込まれていることから、リクライニング操作レバー５０、ウォークイン操作レバー７０いずれの操作レバーの操作時でも他方の操作レバーは静止状態に維持できる。そのため、着座した乗員において両操作レバーの不意の作動に驚くことを防止することができる。また、シートバックの着座姿勢角度を調節するためのリクライニング操作レバー５０とシートバックとの干渉を防止し、シートバックは表皮の毛だおれやシートバックのシートパッド部材の変形を防止することができる。
また、リクライニング操作レバー５０の伝達構成箇所及びウォークイン操作レバー７０の伝達構成箇所の両伝達構成は、回転軸とこの回転軸に嵌合する嵌合孔６０を有する伝達部材とから構成されている。そしてこの回転軸が、リクライニング機構３６を回動操作する回動伝達部材３６ａであり、伝達部材がリクライニング操作レバー５０またはウォークイン操作レバー７０と連結関係にあるリクライニング操作レバーブラケット５２、ウォークイン操作レバーブラケット７２として構成されている。これにより、リクライニング操作レバー５０の伝達構成箇所及びウォークイン操作レバー７０の伝達構成箇所の両伝達構成を、複雑な部材等を必要としないで空振り伝達構成を構成することができる。
【００３１】
本発明の車両用シートは、本実施の形態に限定されず、本発明の要旨を変更しない範囲で種々の変更、追加、削除が可能である。
例えば、本実施例においては、リクライニング操作レバー５０側の伝達構成箇所の伝達構成及びウォークイン操作レバー７０側の伝達構成箇所の伝達構成とも、空振り伝達構成が組み込まれている構成について示した。
しかしながら、リクライニング操作レバー５０及びウォークイン操作レバー７０のうち、いずれか一方の伝達構成箇所の伝達構成に空振り伝達構成が組み込まれている構成であってもよい。
また、リクライニング操作レバー５０側の伝達構成箇所の伝達構成に空振り伝達構成が組み込まれており、ウォークイン操作レバー７０側の伝達構成箇所の伝達構成は一体的回動伝達構成とする構成であってもよい。これにより、シートバックを着座姿勢角度以上に倒す操作をするためのウォークイン操作レバー７０の操作をしたときには、シートバックの着座姿勢角度を調節するためのリクライニング操作レバー５０は、リクライニング操作レバー５０側の伝達構成箇所の伝達構成に組み込まれた空振り伝達構成によって、空振り回動をするため、リクライニング操作レバー５０は、静止状態を保つこととなる。一方、リクライニング操作レバー５０の操作をしたときには、ウォークイン操作レバー７０側の伝達構成箇所の伝達構成は一体的回動伝達構成とされているため、リクライニング操作レバー５０の操作と連動して作動する。しかし、ウォークイン操作レバー７０の伝達経路には可撓性のあるケーブル７４が配索されていることにより、このケーブル７４が撓むことによって、ウォークイン操作レバー７０が作動しない構成となっている。これにより、リクライニング操作レバー５０側の伝達構成箇所の伝達構成及びウォークイン操作レバー７０側の伝達構成箇所の伝達構成ともに空振り伝達構成を組み込むことなく、簡単な構成によって、ウォークイン操作レバー７０を操作しない場合に静止状態に維持できる。
【００３２】
また、ウォークイン操作レバー７０は、リクライニング操作レバー５０の反対側に配設した構成を示したがリクライニング操作レバー５０と同位置の同軸上に配設する構成にも適用できる。
また、ウォークイン操作レバー７０の操作把持部位７６とウォークイン操作レバーブラケット７２との間の伝達経路には可撓性のあるケーブル７４が配索されている構成について示したが、これに限定されるものではなく、ウォークイン操作レバー７０と操作把持部位７６の伝達経路として板状部材のブラケットを備えた構成であってもよい。
また、回動伝達部材の嵌合部３７として、断面略小判状の形状について示し、これに対応する嵌合孔６０の形状について示したが、この形状に限定されるものではなく所定の回動範囲だけ空振り回動する空振り伝達構成であれば種々の形状を適用できるものである。
また、回動伝達部材３６ａとしてリクライニング機構の中心部に設けられた軸回動可能な回転軸としての構成について示したが、これに限定されるものではない。
シートクッションとシートバックは相対回動可能に連結され、連結部には両者の相対回動を許容する解除状態と相対回動を規制する規制状態とを回動操作により達成する連結機構を回動操作することのできるものに適用できるものである。例えば、リクライニング機構の中心軸が固定された構成で円盤状部材であるラチェットとガイド側が回動する構成のものに空振り伝達構成を構成するものであってもよい。
【図面の簡単な説明】
【００３３】
【図１】本実施例に係る車両用シートのフレーム構成を表した斜視図である。
【図２】本実施例に係る車両用シートの右側面図である。
【図３】本実施例に係る車両用シートの図２のIII−III線断面図である。
【図４】本実施例に係る車両用シートの左側面図である。
【図５】本実施例に係る車両用シートのリクライニング操作レバー及びウォークイン操作レバーからの操作を回動伝達部材へ回動伝達する伝達構成箇所の伝達構成を示した斜視図である。Ａ図は、リクライニング操作レバー、ウォークイン操作レバー、回動伝達部材、連結軸の各構成を示した斜視図である。Ｂ図は、図５（Ａ）の矢視Ｂ−Ｂ線からのリクライニング操作レバーを示した側面図である。Ｃ図は、図５（Ａ）の矢視Ｃ−Ｃ線からのウォークイン操作レバーを示した側面図である。
【図６】本実施例に係る車両用シートのリクライニング操作レバー及びウォークイン操作レバーからの操作を回動伝達部材へ回動伝達する伝達構成箇所の伝達構成を示した斜視図である。Ａ図は、シートクッションフレームに対してシートバックフレームの相対回動を規制した規制状態として保持された状態を示した斜視図である。Ｂ図は、リクライニング操作レバーについて、リクライニング機構の操作状態と、この操作時において、ウォークイン操作レバーが静止状態であることを示した状態図である。Ｃ図は、ウォークイン操作レバーについて、リクライニング機構の操作状態と、この操作時において、リクライニング操作レバーが静止状態であることを示した状態図である。
【符号の説明】
【００３４】
１０    車両用シート
２０    シートクッションフレーム
２０ａ  掛合部材
２２    ガイド
３２    シートバックフレーム
３２ａ  補強部材
３２ｂ  掛合部材
３５    捩りばね部材
３５ａ  支持部
３５ｂ  付勢部
３６    リクライニング機構
３６ａ  回動伝達部材
３６ｂ  連結軸
３７    嵌合部
３７ａ  円筒部位
３７ｂ  平面部位
３８    ラチェット
４０    リンク機構
４０Ｂ  連動ロッド
４０Ｆ  連動ロッド
４１Ｂ  リンク
４１Ｆ  リンク
４２    スライドレール
４２Ｕ  アッパーレール
４２Ｌ  ロアレール
５０    リクライニング操作レバー
５２    リクライニング操作レバーブラケット
５４    操作把持部位
５６    つるまきばね部材
５８    ストッパー
６０    嵌合孔
６２    円周部位
６４    軸回動作用部位
６６    遊動隙間
７０    ウォークイン操作レバー
７２    ウォークイン操作レバーブラケット
７４    ケーブル
７６    操作把持部位
【図１】
0005251245.tif 000002
【図２】
0005251245.tif 000003
【図３】
0005251245.tif 000004
【図４】
0005251245.tif 000005
【図５】
0005251245.tif 000006
【図６】
0005251245.tif 000007